(57)【特許請求の範囲】
【請求項１】
縦横方向に回転可能に設けられたディスプレイと、
表示データを格納するメモリと、
前記ディスプレイの縦横状態に応じて表示データの表示状態を切り換える回転指示手段と、
前記ディスプレイの表示領域の寸法がＷ×Ｈ（Ｗ＞Ｈ）に設定されている場合において、Ｈ×Ｈの寸法領域に適応するようメニュー内容のレイアウトを作成するメニュー表示手段と、
前記メニュー表示手段が作成したレイアウトのメニューデータを前記回転指示手段の切り換えに応じて前記メモリに格納させ、前記ディスプレイに表示させる制御手段とを備えたことを特徴とする表示装置。
【請求項２】
前記メニュー表示手段は、前記ディスプレイの表示領域の寸法をＷ×Ｈとしたとき、Ｈ×Ｈの寸法領域の最大限の領域に適合するようメニュー内容のレイアウトを作成することを特徴とする請求項１記載の表示装置。
【請求項３】
縦横方向に回転可能に設けられたディスプレイと、
表示データを格納するメモリと、
前記ディスプレイの縦横状態に応じて表示データの表示状態を切り換える回転指示手段と、
前記ディスプレイの表示領域の寸法をＷ×Ｈ（Ｗ＞Ｈ）に設定されている場合において、Ｈ×Ｈの寸法領域に適応するようメニュー内容のレイアウトを作成するメニュー表示手段と、
前記メニュー表示手段が作成したレイアウトのメニューデータを前記メモリに格納させ、前記回転指示手段による前記ディスプレイの切り換え状態に関わらず一定のレイアウトのメニューデータを前記ディスプレイに表示させる制御手段とを備えたことを特徴とする表示装置。
【請求項４】
前記メニュー表示手段は、前記ディスプレイの表示領域の寸法をＷ×Ｈ（Ｗ＞Ｈ）としたとき、Ｈ×Ｈの寸法領域の最大限の領域に適合するようメニュー内容のレイアウトを作成することを特徴とする請求項３記載の表示装置。
【発明の詳細な説明】
【０００１】
【産業上の利用分野】
本発明は、表示装置の縦横の回転状態に合わせて表示内容が正立されるようにした表示装置に関する。
【０００２】
【従来の技術】
従来、この種の文書画像処理装置では、特開昭５７−１３４７９号公報に開示されているように表示装置の縦横回転に合わせて表示内容が正立表示されるように表示形態を変更する技術、また、特開昭６２−１７３５０９号公報、特開昭６２−２９９８８１号公報に開示されているように、表示装置の縦横回転に合わせて、画像はそのまま表示し、ファンクションキーなどのメニューのみを正立表示する技術、あるいは、特開平１−３１４３８２号公報に開示されているように、表示装置の縦横回転に合わせて表示内容が正立表示されるとともに、表示倍率を変える技術が知られている。
【０００３】
【発明が解決しようとする課題】
上述した従来の文書画像処理装置におけるメニュー表示方法を、図５以下を参照しながら説明する。
【０００４】
さて図５において、２０は表示装置の表示画面、Ｍはメニューの表示内容、Ｆはファンクションキー、Ｂは選択項目を示す。また、図５（１）左方は、表示装置が縦置き状態における表示画面２０を示し、同右方は横置き状態における表示画面２０を示す。
【０００５】
ここで、一般に表示画面２０における表示可能領域は長方形をなしており、図示しているように縦置き状態における表示可能領域の幅はその高さよりも小であり、また横置き状態ではその逆になる。
【０００６】
そして、表示装置のうち表示画面の縦横のドット数が異なると、次のような問題が発生する。即ち、選択項目を縦横に複数配置して、より多くの選択項目をメニュー表示する場合、メニューのサイズが縦長、もしくは、横長過ぎると、表示装置の回転に合わせてそのまま正立表示させようとする際に、図５の（１）、（２）のそれぞれ右方に示すように表示画面に収まらなくなる。
【０００７】
この問題を解決すべく、特開平１−３１４３８２号公報に開示されているように、表示装置の縦横回転に合わせて、表示倍率を変える方法がある。しかし、この技術を応用して、選択項目Ｂの表示倍率（サイズ）を小さくして表示しようとすると、図６の（１）、（２）のそれぞれの右方に示すように選択項目Ｂ内の文字やイメージが小さくなり、見えにくくなるという問題が発生する。また、別の方法として、表示装置の回転に合わせて、選択項目Ｂの配置を変えて表示しようとすると、図７の（１）、（２）に示すように選択項目Ｂの位置が変わるため、オペレータが回転の都度選択項目の位置、内容を確認せねばならず、操作性が悪くなるという問題が発生する。
【０００８】
本発明は、上述した従来の問題点に鑑みなされたもので、その目的は見易いメニューを表示できるメニュー表示方法を提供することにある。
【０００９】
【課題を解決するための手段】
本発明に係る表示装置は上述の問題点を解決するため、縦横方向に回転可能に設けられたディスプレイと、表示データを格納するメモリと、前記ディスプレイの縦横状態に応じて表示データの表示状態を切り換える回転指示手段と、前記ディスプレイの表示領域の寸法がＷ×Ｈ（Ｗ＞Ｈ）に設定されている場合において、Ｈ×Ｈの寸法領域に適応するようメニュー内容のレイアウトを作成するメニュー表示手段と、前記メニュー表示手段が作成したレイアウトのメニューデータを前記回転指示手段の切り換えに応じて前記メモリに格納させ、前記ディスプレイに表示させる制御手段とを備えたことを特徴とする構成とした。
【００１０】
【作用】
本発明は上述の構成によって、表示装置の回転状態によりメニュー内容のサイズや配置を変えることなく、表示可能領域に最大限の大きさでメニュー表示することができる。
【００１１】
【実施例】
以下本発明の一実施例について、図面を参照しながら説明する。
【００１２】
図１は本発明の一実施例に係るメニュー表示方法を用いた文書画像処理装置を示すブロック図である。
【００１３】
図１において、１はＣＲＴまたはＬＣＤなどの表示装置であり、この表示装置１は文書画像処理装置本体（図外）に縦横回転可能に支持されている。２は画像メモリ、３は後述する主制御部６に制御されて、画像データを画像メモリ２に渡す画像データ表示部、４はメニュー表示部、５は表示装置１の縦横回転状態を検出し、これに合わせて表示データの切り替えを指示する回転指示部、６は文書画像処理装置全体の制御を司るＣＰＵなどの主制御部、７はキーボード、マウスなどの入力装置、８は図２のフローチャートに沿うソフトウェアなどを記憶する記憶装置、９はスキャナなどの光学読み取り装置、１０は印刷装置、２０（図３）は表示装置１の表示画面である。このメニュー表示方法の動作の概略フローチャートを図２に、また、本実施例によるメニュー表示内容を図３に示し、これらを用いて以下説明する。
【００１４】
ステップ１において、装置の立ち上げ処理が行われ、図３の（１）に示すような初期画面が表示される。
【００１５】
ステップ２において、主制御部６が、入力装置７からの処理の指示を受け、ステップ３において、メニュー表示の要不要を判断する。必要な場合はステップ５に進み、不要な場合はステップ４に進む。
【００１６】
ステップ４において、主制御部６は、画像データを記憶装置８や、光学読み取り装置９から読み込んだり、画像データを記憶装置８へ書き込んだり、あるいは、印刷装置１０へ出力したりする処理を行い、ステップ９へ進む。
【００１７】
ステップ５において、図４に示すように、表示装置１が縦置き状態時（図４（１））の表示可能領域（高さ１、幅１）および横置き状態時の表示可能領域（図４（２））（高さ２、幅２）およびメニュー内容として表示する選択項目領域Ｂの幅３と高さ３から、メニュー内容のレイアウトを求める。ここで、メニューのサイズは、高さ２、幅１内の領域内に入るもののうち最大限に設定する。そして、この設定されたサイズ内に全ての表示すべき表示項目Ｂ，Ｂ，……が入るように配置して、メニューの表示内容（メニューデータ）を決定する。そして、この表示内容のサイズ、配置は、縦置き状態、横置き状態にかかわらず一定とする。
【００１８】
ステップ６において、主制御部６は、回転指示部５が検出した回転状態を示す情報を取得し、縦置き状態であればステップ７へ進み、横置き状態であればステップ８へ進む。
【００１９】
ステップ７において、横置き状態の表示画面１の表示可能領域に合わせて、メニュー表示部４が上記メニューデータを画像メモリ２へ転送し、図３（２）に示すようなメニューが表示装置１へ表示され、ステップ９へ進む。
【００２０】
ステップ８において、縦置き状態の表示画面１の表示可能領域に合わせて、メニュー表示部４が上記メニューデータを画像メモリ２へ転送し、図３（３）に示すようなメニューが表示装置１へ表示され、ステップ９へ進む。
【００２１】
ステップ９において、処理の継続を判断し、継続であれば、ステップ２へ戻り、継続でなければ、全体の処理を終了する。
【００２２】
以上、メニュー表示方法の動作の概略フローを示したが、回転指示部５による、回転状態の検知は、センサーによる自動検知、あるいは入力装置７からのキー入力による手動検知のいずれであっても差し支えない。
【００２３】
以上の説明から明らかなように、本発明は、縦横方向に回転可能に設けられたディスプレイと、表示データを格納するメモリと、前記ディスプレイの縦横状態に応じて表示データの表示状態を切り換える回転指示手段と、前記ディスプレイの表示領域の寸法がＷ×Ｈ（Ｗ＞Ｈ）に設定されている場合において、Ｈ×Ｈの寸法領域に適応するようメニュー内容のレイアウトを作成するメニュー表示手段と、前記メニュー表示手段が作成したレイアウトのメニューデータを前記回転指示手段の切り換えに応じて前記メモリに格納させ、前記ディスプレイに表示させる制御手段とを備えたことを特徴とする構成とした。
このように構成することにより、表示装置の回転状態が変更されるたびにオペレータが異なるメニューに接し、表示内容をいちいち確認しなければならぬようなことはなく、見易いメニューを表示することができるという効果を奏する。
【図面の簡単な説明】
【図１】本発明の一実施例に係るメニュー表示方法を用いた文書画像処理装置のブロック図
【図２】本発明の一実施例に係るメニュー表示方法を示すフローチャート
【図３】（１）本発明の一実施例に係るメニュー表示方法の工程説明図
（２）本発明の一実施例に係るメニュー表示方法の工程説明図
（３）本発明の一実施例に係るメニュー表示方法の工程説明図
【図４】（１）本発明の一実施例に係るメニュー表示方法の工程説明図
（２）本発明の一実施例に係るメニュー表示方法の工程説明図
（３）本発明の一実施例に係るメニュー表示方法の工程説明図
【図５】（１）従来のメニュー表示方法の説明図
（２）従来のメニュー表示方法の説明図
【図６】（１）従来のメニュー表示方法の説明図
（２）従来のメニュー表示方法の説明図
【図７】（１）従来のメニュー表示方法の説明図
（２）従来のメニュー表示方法の説明図
【符号の説明】
１  表示装置
Ｍ  メニュー
Ｂ  選択項目
【図１】
0003555142.tif 000002
【図２】
0003555142.tif 000003
【図３】
0003555142.tif 000004
【図４】
0003555142.tif 000005
【図５】
0003555142.tif 000006
【図６】
0003555142.tif 000007
【図７】
0003555142.tif 000008